(57)【要約】【課題】本発明は、コモンモードノイズを大きく減衰させることができるコモンモードノイズフィルタを提供することを目的とするものである。【解決手段】本発明のコモンモードノイズフィルタは、第１〜第４のコイル導体１１〜１４と、前記第１のコイル導体１１と前記第２のコイル導体１２とを接続する第１の接続導体１５と、前記第３のコイル導体１３と前記第４のコイル導体１４とを接続する第２の接続導体１６とを備え、前記第１のコイル導体１１と第３のコイル導体１３とで第１のフィルタ２３を構成し、前記第２のコイル導体１２と第４のコイル導体１４とで第２のフィルタ２４を構成し、そして前記第１の接続導体１５の長さと第２の接続導体１６の長さを略同一にし、さらに、前記第１、第２の接続導体１５、１６の長さを、コモンモード電流の特定の周波数の位相を０度より大きくかつ９０度以下の位相量で変化させることができる長さとしたものである。【選択図】図１
2012129665.tif 000002
【特許請求の範囲】
【請求項１】
積層体と、この積層体の内部に形成された第１〜第４のコイル導体と、前記積層体の端部に設けられかつ前記第１〜第４のコイル導体の一端部にそれぞれ接続された第１〜第４の外部電極と、前記第１のコイル導体と前記第２のコイル導体とを接続する第１の接続導体と、前記第３のコイル導体と前記第４のコイル導体とを接続する第２の接続導体とを備え、前記第１のコイル導体と前記第３のコイル導体とが磁気結合し、かつ前記第２のコイル導体と前記第４のコイル導体とが磁気結合するようにそれぞれ上下方向に積層するとともに、前記第１のコイル導体と第３のコイル導体とで第１のコモンモードフィルタを構成し、前記第２のコイル導体と第４のコイル導体とで第２のコモンモードフィルタを構成し、上面視にて少なくとも前記第１、第２の接続導体の一部を覆うような金属層を形成し、そして前記第１の接続導体の長さと第２の接続導体の長さを略同一にし、グランドと第１、第２の接続導体で構成される伝送線路においては、デファレンシャルモードの特性インピーダンスが第１、第２のコモンモードフィルタの特性インピーダンスと略同じとなるように構成され、さらに、前記第１、第２の接続導体の長さを、所望の周波数において、前記第１のコモンモードフィルタと前記第１、第２の接続導体との接続点の位相を、前記第２のコモンモードフィルタと前記第１、第２の接続導体との接続点の位相よりも０度より大きくかつ９０度以下の位相量で変化させることができる長さとしたコモンモードノイズフィルタ。
【請求項２】
第１、第２の接続導体を少なくとも１つの非磁性体層に形成するようにした請求項１記載のコモンモードノイズフィルタ。
【請求項３】
金属層が上面視にて第１〜第４のコイル導体も覆うようにした請求項１記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図１２に示すように、第１〜第５の絶縁体層１ａ〜１ｅと、第２の絶縁体層１ｂ上に形成された第１、第２のコイル導体２、３と、第３の絶縁体層１ｃ上に形成された第３、第４のコイル導体４、５と、第１のコイル導体２と第２のコイル導体３とを接続する第１の接続導体６と、第３のコイル導体４と第４のコイル導体５とを接続する第２の接続導体７とを備えていた。
【０００３】
なお、この出願の発明に関する先行技術文献情報としては、例えば、特許文献１が知られている。
【先行技術文献】
【特許文献】
【０００４】
【特許文献１】特開２００７−１８１１６９号公報
【発明の概要】
【発明が解決しようとする課題】
【０００５】
近年、携帯電話等へのデジタルインターフェイスが搭載され、携帯電話で通信に使われる８００ＭＨｚ帯や２ＧＨｚ帯近傍のコモンモードノイズ低減が望まれている。
【０００６】
しかしながら、上記した従来のコモンモードノイズフィルタにおいては、第１の接続導体６、第２の接続導体７で単にコモンモードフィルタを２つ直列接続させた特性しか得られず、コモンモードノイズの減衰量が大きくとれないという課題を有していた。
【０００７】
本発明は上記従来の課題を解決するもので、コモンモードノイズを大きく減衰させることができるコモンモードノイズフィルタを提供することを目的とするものである。
【課題を解決するための手段】
【０００８】
上記目的を達成するために本発明は、以下の構成を有するものである。
【０００９】
本発明の請求項１に記載の発明は、積層体と、この積層体の内部に形成された第１〜第４のコイル導体と、前記積層体の端部に設けられかつ前記第１〜第４のコイル導体の一端部にそれぞれ接続された第１〜第４の外部電極と、前記第１のコイル導体と前記第２のコイル導体とを接続する第１の接続導体と、前記第３のコイル導体と前記第４のコイル導体とを接続する第２の接続導体とを備え、前記第１のコイル導体と前記第３のコイル導体とが磁気結合し、かつ前記第２のコイル導体と前記第４のコイル導体とが磁気結合するようにそれぞれ上下方向に積層するとともに、前記第１のコイル導体と第３のコイル導体とで第１のコモンモードフィルタを構成し、前記第２のコイル導体と第４のコイル導体とで第２のコモンモードフィルタを構成し、上面視にて少なくとも前記第１、第２の接続導体の一部を覆うような金属層を形成し、そして前記第１の接続導体の長さと第２の接続導体の長さを略同一にし、グランドと第１、第２の接続導体で構成される伝送線路においては、デファレンシャルモードの特性インピーダンスが第１、第２のコモンモードフィルタの特性インピーダンスと略同じとなるように構成され、さらに、前記第１、第２の接続導体の長さを、所望の周波数において、前記第１のコモンモードフィルタと前記第１、第２の接続導体との接続点の位相を、前記第２のコモンモードフィルタと前記第１、第２の接続導体との接続点の位相よりも０度より大きくかつ９０度以下の位相量で変化させることができる長さとしたもので、この構成によれば、第１のコモンモードフィルタと第１、第２の接続導体の接続点において、第２のコモンモードフィルタ側を見た場合でのコモンモードインピーダンスを誘導性高インピーダンス状態から容量性低インピーダンス状態とすることができるため、コモンモードに対しては第２のコモンモードフィルタは対地間に接続された容量性素子（キャパシタンス）として働き、これにより、等価的にＬＣフィルタとして働くため、大きなコモンモードの減衰が得られ、これにより、コモンモードノイズを大きく減衰させることができ、さらに、第１の接続導体の長さと第２の接続導体の長さを略同一にしており、かつグランドと第１、第２の接続導体で構成される伝送線路のディファレンシャルモードの特性インピーダンスを第１、第２のコモンモードフィルタの特性インピーダンスと同じにしているため、ディファレンシャル信号の損失を少なくすることができるという作用効果を有するものである。
【００１０】
本発明の請求項２に記載の発明は、特に、第１、第２の接続導体を少なくとも１つの非磁性体層に形成するように構成したもので、この構成によれば、第１、第２の接続導体が磁性体にすべて覆われていないため、磁性体の透磁率の大きな周波数依存性により低周波でのインダクタ成分が大きくなりすぎるのを防止でき、これにより、ディファレンシャル特性の整合調整が容易になるという作用効果を有するものである。
【００１１】
本発明の請求項３に記載の発明は、特に、金属層が上面視にて第１〜第４のコイル導体も覆うようにしたもので、この構成によれば、金属層と第１〜第４のコイル導体との間に大きな浮遊容量を発生させることができるため、高周波帯域のコモンモードノイズを大きく減衰させることができるという作用効果を有するものである。
【発明の効果】
【００１２】
以上のように本発明のコモンモードノイズフィルタは、第１、第２の接続導体の長さを、所望の周波数において、第１のコモンモードフィルタと第１、第２の接続導体との接続点の位相を、第２のコモンモードフィルタと第１、第２の接続導体との接続点の位相よりも０度より大きくかつ９０度以下の位相量で変化させることができる長さとしているため、第１のコモンモードフィルタと第１、第２の接続導体の接続点において、第２のコモンモードフィルタ側を見た場合でのコモンモードインピーダンスを誘導性高インピーダンス状態から容量性低インピーダンス状態とすることができ、これにより、コモンモードに対しては第２のコモンモードフィルタは対地間に接続された容量性素子として働くため、等価的にＬＣフィルタとして働き、この結果、大きなコモンモードの減衰が得られ、コモンモードノイズを大きく減衰させることができ、さらに、第１の接続導体の長さと第２の接続導体の長さを略同一にしており、かつグランドと第１、第２の接続導体で構成される伝送線路のディファレンシャルモードの特性インピーダンスを第１、第２のコモンモードフィルタの特性インピーダンスと同じにしているため、ディファレンシャル信号の損失を少なくすることができるという優れた効果を奏するものである。
【図面の簡単な説明】
【００１３】
【図１】本発明の一実施の形態におけるコモンモードノイズフィルタの分解斜視図
【図２】同コモンモードノイズフィルタの斜視図
【図３】同コモンモードノイズフィルタの等価回路図
【図４】図３における点Ａから第１のコモンモードフィルタを見たディファレンシャルモードのインピーダンスを示すスミスチャート
【図５】図３における点Ａから第２のコモンモードフィルタを見たディファレンシャルモードのインピーダンスを示すスミスチャート
【図６】図３における点Ａから第１のコモンモードフィルタを見たコモンモードのインピーダンスを示すスミスチャート
【図７】図３における点Ａから第２のコモンモードフィルタを見たコモンモードのインピーダンスを示すスミスチャート
【図８】本発明の一実施の形態におけるコモンモードノイズフィルタの周波数とコモンモード減衰量と接続位相量との関係を示す図
【図９】同コモンモードノイズフィルタの他の例を示す分解斜視図
【図１０】同コモンモードノイズフィルタの等価回路図
【図１１】同コモンモードノイズフィルタの周波数と減衰量と接続位相量との関係を示す図
【図１２】従来のコモンモードノイズフィルタの分解斜視図
【発明を実施するための形態】
【００１４】
以下、本発明の一実施の形態について、図面を参照しながら説明する。
【００１５】
図１は本発明の一実施の形態におけるコモンモードノイズフィルタの分解斜視図、図２は同コモンモードノイズフィルタの斜視図である。
【００１６】
本発明の一実施の形態におけるコモンモードノイズフィルタは、図１、図２に示すように、積層体１０と、この積層体１０の内部に形成された第１〜第４のコイル導体１１〜１４と、前記第１のコイル導体１１と前記第２のコイル導体１２とを接続する第１の接続導体１５と、前記第３のコイル導体１３と前記第４のコイル導体１４とを接続する第２の接続導体１６とを備え、前記第１のコイル導体１１と前記第３のコイル導体１３とが磁気結合し、前記第２のコイル導体１２と前記第４のコイル導体１４とが磁気結合するようにそれぞれ上下方向に積層するとともに、前記第１の接続導体１５の長さと第２の接続導体１６の長さを略同一にし、さらに、前記第１、第２の接続導体１５、１６の長さを、所望の周波数において、前記第１のコモンモードフィルタ２３と前記第１、第２の接続導体１５、１６との接続点の位相を、前記第２のコモンモードフィルタ２４と前記第１、第２の接続導体１５、１６との接続点の位相よりも０度より大きくかつ９０度以下の位相量で変化させることができる長さとしたものである。
【００１７】
上記構成において、前記第１〜第４のコイル導体１１〜１４は、積層体１０の内部において、それぞれ銀等の導電材料を渦巻状にめっきまたは印刷することにより形成されている。そして、第１、第２のコイル導体１１、１２は、ともに第２の絶縁体層１７ｂの上面に形成され、第３、第４のコイル導体１３、１４は、ともに第３の絶縁体層１７ｃの上面に形成されている。
【００１８】
さらに、前記第１〜第４のコイル導体１１〜１４の一端部１１ａ〜１４ａには、それぞれ積層体１０の端部に設けられた第１〜第４の外部電極１８〜２１と接続されている。
【００１９】
また、第１のコイル導体１１の他端部１１ｂ、第２のコイル導体１２の他端部１２ｂは、第１の絶縁体層１７ａに設けられた第１の接続導体１５を介して接続されている。これにより、第１のコイル導体１１と第２のコイル導体１２は直列に接続され、１つのコイルを構成する。
【００２０】
このとき、第１のコイル導体１１の他端部１１ｂと第１の接続導体１５とは、第２の絶縁体層１７ｂに形成された第１のビア電極２２ａを介して接続され、第２のコイル導体１２の他端部１２ｂと第１の接続導体１５とは、第２の絶縁体層１７ｂに形成された第２のビア電極２２ｂを介して接続されている。
【００２１】
さらに、前記第３のコイル導体１３の他端部１３ｂ、第４のコイル導体１４の他端部１４ｂは、第４の絶縁体層１７ｄの上面に設けられた第２の接続導体１６を介して接続されている。これにより、第３のコイル導体１３と第４のコイル導体１４は直列に接続され、他の１つのコイルを構成する。
【００２２】
このとき、第３のコイル導体１３の他端部１３ｂと第２の接続導体１６とは、第４の絶縁体層１７ｄに形成された第３のビア電極２２ｃを介して接続され、第４のコイル導体１４の他端部１４ｂと第２の接続導体１６とは、第４の絶縁体層１７ｄに形成された第４のビア電極２２ｄを介して接続されている。ここで、前記第１〜第４のビア電極２２ａ〜２２ｄは、第２の絶縁体層１７ｂ、第４の絶縁体層１７ｄそれぞれの所定の２箇所に、レーザで孔あけ加工をし、この孔に銀を充填して形成する。
【００２３】
なお、第１〜第４のコイル導体１１〜１４の渦巻きの中心部に磁性材料からなる磁性体部（図示せず）を設けてもよい。
【００２４】
また、前記第１の接続導体１５は、第１の絶縁体層１７ａの上面に、銀等の導電材料を蛇行状にめっきまたは印刷することにより形成されている。同様に、前記第２の接続導体１６も、第４の絶縁体層１７ｄの上面に、銀等の導電材料を蛇行状にめっきまたは印刷することにより形成されている。この第１の接続導体１５の長さと第２の接続導体１６（位相線路）の長さは略同一であり、その長さは、所定の周波数において、前記第１のコモンモードフィルタ２３と前記第１、第２の接続導体１５、１６との接続点の位相を、前記第２のコモンモードフィルタ２４と前記第１、第２の接続導体１５、１６との接続点の位相よりも０度より大きくかつ９０度以下の位相量で変化させることができる長さになっている。
【００２５】
前記所望の周波数における位相量９０度とは、所望の周波数での誘電材料や磁性材料で構成される積層体１０内での真空中の波長を基準として波長短縮を考慮した有効的な波長で換算し、その有効波長の１／４の長さに相当する第１、第２の接続導体１５、１６で構成された場合に実現される。これは絶縁体層の種類やコモンモードノイズの減衰量を得たい周波数帯域によって変動する。
【００２６】
そして、第１のコイル導体１１と第３のコイル導体１３とが磁気結合し、第２のコイル導体１２と第４のコイル導体１４とが磁気結合するようになっており、この構成により、図３に示すように、第１のコイル導体１１と第３のコイル導体１３からなる第１のコモンモードフィルタ２３と、第２のコイル導体１２と第４のコイル導体１４からなる第２のコモンモードフィルタ２４の２つのコモンモードフィルタが、第１、第２の接続導体１５、１６を介して直列接続される。
【００２７】
なお、第１の接続導体１５の下面には第１の絶縁体層１７ａが、第２の接続導体１６の上面には第５の絶縁体層１７ｅが設けられている。これらの第１〜第５の絶縁体層１７ａ〜１７ｅは、下から第１の絶縁体層１７ａ、第２の絶縁体層１７ｂ、第３の絶縁体層１７ｃ、第４の絶縁体層１７ｄ、第５の絶縁体層１７ｅの順に積層され、また、第２の絶縁体層１７ｂ、第３の絶縁体層１７ｃ、第４の絶縁体層１７ｄは、Ｃｕ−Ｚｎフェライト等の非磁性材料によりシート状に構成され、第１の絶縁体層１７ａ、第５の絶縁体層１７ｅは、Ｎｉ−Ｃｕ−Ｚｎフェライト等の磁性材料によりシート状に構成されている。そして、第１〜第５の絶縁体層１７ａ〜１７ｅの枚数は、図１に示された枚数に限定されるものではない。
【００２８】
このように、第１、第２の接続導体１５、１６の片側の面を非磁性体層に接するように構成すれば、第１、第２の接続導体１５、１６が磁性体にすべて覆われていないため、磁性体の透磁率の大きな周波数依存性により低周波でのインダクタ成分が大きくなりすぎるのを防止でき、これにより、ディファレンシャル特性の整合調整が容易になる。
【００２９】
さらに、第１の絶縁体層１７ａの下面、第５の絶縁体層１７ｅの上面にはそれぞれ金属層２５が設けられている。そして、この金属層２５は図３に示すように、グランドに接続される。そして、このグランドと第１、第２の接続導体１５、１６で伝送線路が構成される。
【００３０】
この金属層２５は、銀、銅等の導電材料をめっきまたは印刷することにより、あるいは金属板、金属箔を貼り付けることによりシート状に形成されている。そして、この金属層２５はそれぞれ、その一部である２つの引出部２５ａのみが第１の絶縁体層１７ａ、第５の絶縁体層１７ｅの側面に露出している。また、金属層２５は上面視または下面視により、第１、第２の接続導体１５、１６の少なくとも一部を覆うように配置されている。
【００３１】
そして、この下方の金属層２５の下面と上方の金属層２５の上面にはＮｉ−Ｃｕ−Ｚｎフェライト等の磁性材料からなる磁性体層２６が設けられている。
【００３２】
上記した構成により、積層体１０が形成される。また、この積層体１０の両端部には、積層体１０の焼成後において、上述した第１〜第４の外部電極１８〜２１と、金属層２５の引出部２５ａに接続された第５、第６の外部電極２７、２８とが設けられている。さらに、前記第１〜第６の外部電極１８〜２１、２７、２８は、積層体１０の端面に銀を印刷することにより形成され、またこれらの表面にめっきによってニッケルめっき層を形成するとともに、このニッケルめっき層の表面にめっきによってすずやはんだ等の低融点金属めっき層を形成する。
【００３３】
上記したように本発明の一実施の形態におけるコモンモードノイズフィルタにおいては、第１のコモンモードフィルタ２３と第１、第２の接続導体１５、１６の接続点において、第２のコモンモードフィルタ２４側を見た場合でのコモンモードインピーダンスを誘導性高インピーダンス状態から容量性低インピーダンス状態とすることができるため、コモンモードに対しては第２のコモンモードフィルタ２４は対地間に接続された容量性素子（キャパシタンス）として働き、これにより、等価的にＬＣフィルタとして働くため、大きなコモンモードの減衰が得られ、これにより、コモンモードノイズを大きく減衰させることができるという効果が得られるものである。
【００３４】
また、第１の接続導体１５の長さと第２の接続導体１６の長さを略同一にしており、かつグランドと第１、第２の接続導体１５、１６で構成される伝送線路のディファレンシャルモードの特性インピーダンスを第１、第２のコモンモードフィルタ２３、２４の特性インピーダンスと同じにしているため、ディファレンシャルモードの特性インピーダンスを容易に整合させることができ、これにより、ディファレンシャル信号の損失を少なくすることができる。
【００３５】
図４は、図３における点Ａから第１のコモンモードフィルタ２３を見たディファレンシャルモードのインピーダンスを示すスミスチャート、図５は、図３における点Ａから第２のコモンモードフィルタ２４を見たディファレンシャルモードのインピーダンスを示すスミスチャートで、いずれも周波数を１ＭＨｚから１ＧＨｚまで変化させたものである。なお、図５で、１ＧＨｚの周波数において、第１のコモンモードフィルタ２３と第１、第２の接続導体１５、１６との接続点Ａの位相を、第２のコモンモードフィルタ２４と第１、第２の接続導体１５、１６との接続点Ｂの位相よりそれぞれ０度（１ＧＨｚの１／４波長に比べてずっと短く殆ど１ＧＨｚにおいて位相の変化量が０度とみなせる場合。以下同様とする。）、３０度、９０度の位相変化量だけ第１、第２の接続導体１５、１６の長さを調整することにより変化させたものをそれぞれの場合について示している。
【００３６】
図４、図５から明らかなように、第１、第２の接続導体１５、１６（位相線路）の長さを調整したことによる位相変化量に対して、ディファレンシャルモードのインピーダンスは１ＧＨｚまでほぼ整合が取れていることが分かる。
【００３７】
図６は、図３における点Ａから第１のコモンモードフィルタ２３を見たコモンモードのインピーダンスを示すスミスチャート、図７は、図３における点Ａから第２のコモンモードフィルタ２４を見たコモンモードのインピーダンスを示すスミスチャートで、いずれも周波数を１ＭＨｚから１ＧＨｚまで変化させたものである。なお、図７では、接続導体１５、１６の長さを調整して、周波数１ＧＨｚにおける点Ａの位相の点Ｂの位相に対する変化量が０度、３０度、９０度のそれぞれの場合について示している。
【００３８】
図６から明らかなように、点Ａから第１のコモンモードフィルタ２３を見たコモンモードのインピーダンスは周波数が上がると誘導性のインピーダンスで高インピーダンス状態へ推移し、１ＧＨｚではオープン状態であることが分かる。一方、図７からは、点Ａから第２のコモンモードフィルタ２４を見たコモンモードノイズのインピーダンスは、位相の変化量が０度の場合は１ＧＨｚでほぼオープン状態であるが、第１、第２の接続導体１５、１６の長さを調整し、位相の変化量を３０度にすると容量性低インピーダンス方向へ移行し、９０度の場合には１ＧＨｚでショート状態となることが分かる。
【００３９】
以上のことから、第１、第２の接続導体１５、１６およびグランドで構成される伝送線路により、点Ｂに対する点Ａの位相変化量を調整することで、点Ａにおいて、コモンモードでは誘導性高インピーダンス状態の第１のコモンモードフィルタ２３と、容量性低インピーダンス状態の第２のコモンモードフィルタ２４が接続され、かつディファレンスモードでは第１のコモンモードフィルタ２３、第２のコモンモードフィルタ２４は整合が取れた状態で接続される。
【００４０】
すなわち、本実施の形態の場合、コモンモードに対してのフィルタ作用として、第１のコモンモードフィルタ２３は誘導性素子（インダクタ）として働き、そして、第１、第２の接続導体１５、１６及び接地された金属層２５で構成された伝送線路と第２のコモンモードフィルタ２４が直列接続された素子は、点Ａからコモンモードフィルタ２４側を見た場合における位相線路の位相量を０度から９０度としたとき、対地間に接続された容量性素子（キャパシタンス）として働く。この場合、第１、第３の外部電極１８、２０側から見た本実施の形態のコモンモードフィルタは、等価的に２段のＬＣフィルタとして働くため、大きなコモンモードの減衰が得られ、さらに位相変化量を９０度とした場合、対地間でのショート状態となりさらに減衰量が大きくなる作用を有する。一方、同様な見方をしたとき、従来の単純接続した２つのコモンモードフィルタの直列接続では、コモンモードに対して、等価的に１段のＬフィルタとしか働かず、大きなコモンモードの減衰が得られない。
【００４１】
図８は、本発明の一実施の形態におけるコモンモードノイズフィルタの周波数とコモンモード減衰量の接続導体の長さを変えたときの位相量ごとの関係を示す図である。
【００４２】
図８では、第１、第２の接続導体１５、１６の長さを、点Ｂの点Ａに対する位相量変化量が３０度、９０度で変化するようにした場合、および比較例として、第１、第２の接続導体１５、１６の位相の変化量が０度となる場合を示している。
【００４３】
図８から明らかなように、位相量を変化させたときのコモンモードノイズ減衰量は、０度すなわち２つのコモンモードフィルタを単純に接続した状態のコモンモードノイズ減衰量よりも大きくすることができることが分かる。
【００４４】
なお、上記した本発明の一実施の形態におけるコモンモードノイズフィルタにおいては、金属層２５が第１、第２の接続導体１５、１６の一部のみを覆うように配置したものについて説明したが、図９に示すように、金属層２５が上面視にて第１〜第４のコイル導体１１〜１４も覆うようにしてもよい。
【００４５】
この構成によれば、図１０に示すように、金属層２５と第１〜第４のコイル導体１１〜１４との間に大きな浮遊容量Ｃ０が発生するため、高周波帯域のコモンモードノイズを大きく減衰させることができる。
【００４６】
図１１は、図９におけるコモンモードノイズフィルタの周波数とコモンモード減衰量の接続導体の長さを変えたときの位相量ごとの関係を示す図である。
【００４７】
図１１において、第１、第２の接続導体１５、１６の長さを、１ＧＨｚの周波数で位相変化量が９０度になるようにした場合かつ図９のように金属層２５の面積を大きくした場合、および比較例として、第１、第２の接続導体１５、１６の位相が０度となる場合と、第１、第２の接続導体１５、１６の長さを、金属層２５が第１、第２の接続導体１５、１６の一部のみを覆う状態で位相量変化が９０度になるようにした場合を示している。
【００４８】
図１１から明らかなように、金属層２５を上面視にて第１〜第４のコイル導体１１〜１４も覆うようにした場合、１ＧＨｚ以上の高周波帯域でのコモンモードノイズを大きく減衰させることができることが分かる。
【００４９】
また、上記した本発明の一実施の形態におけるコモンモードノイズフィルタにおいては、第１、第２の接続導体１５、１６を蛇行状としたが、スパイラル状としてもよく、さらに、第１、第２のコイル導体１１、１２を同一面上に形成し、第３、第４のコイル導体１３、１４を同一面上に形成したが、それぞれのコイル導体を別個の面に形成してもよい。
【００５０】
そして、金属層２５を第１、第２の接続導体１５、１６の外側（上方、下方）に位置させるようにしたが、第１の接続導体１５と第１、第２のコイル導体１１、１２との間、第２の接続導体１６と第３、第４のコイル導体１３、１４との間にそれぞれ位置させるようにしてもよい。
【００５１】
さらにまた、金属層２５を２枚形成したが、第１、第２のコイル導体１１、１２と第３、第４のコイル導体１３、１４との間に１枚形成するようにしてもよい。
【００５２】
なお、第１、第２の接続導体１５、１６の片面を非磁性体層に接するように構成したが、両面を非磁性体層に接するように構成してもよい。この構成により、磁性体の透磁率の周波数依存の影響を受けないため、ディファレンシャルのモードの整合をより取り易くなる。
【００５３】
そして、上述した一実施の形態において、点Ｂに対する点Ａでの位相変化量が、コモンモードの周波数が１ＧＨｚで９０度となる構成について説明したが、この構成でコモンモードの周波数を約１．３ＧＨｚとしたときの位相変化量は１２０度となる。すなわち、一実施の形態では、所望の周波数が１ＧＨｚのときの位相変化量が９０度以下の場合を示したが、これは約１．３ＧＨｚでの位相変化量が１２０度以下の特性と同義である。
【産業上の利用可能性】
【００５４】
本発明に係るコモンモードノイズフィルタは、コモンモードノイズを大きく減衰させることができるという効果を有するものであり、特にデジタル機器やＡＶ機器、情報通信端末等の各種電子機器のノイズ対策として使用されるコモンモードノイズフィルタ等において有用となるものである。
【符号の説明】
【００５５】
１１  第１のコイル導体
１２  第２のコイル導体
１３  第３のコイル導体
１４  第４のコイル導体
１５  第１の接続導体
１６  第２の接続導体
１８〜２１  第１〜第４の外部電極
２３  第１のコモンモードフィルタ
２４  第２のコモンモードフィルタ
２５  金属層
【図１】
2012129665.tif 000003
【図２】
2012129665.tif 000004
【図３】
2012129665.tif 000005
【図４】
2012129665.tif 000006
【図５】
2012129665.tif 000007
【図６】
2012129665.tif 000008
【図７】
2012129665.tif 000009
【図８】
2012129665.tif 000010
【図９】
2012129665.tif 000011
【図１０】
2012129665.tif 000012
【図１１】
2012129665.tif 000013
【図１２】
2012129665.tif 000014